【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
ライセンスサーバから発行される利用権に基づいて、該利用権に対応する暗号化されたコンテンツの復号と利用を制御する情報処理装置において、
前記情報処理装置あるいは前記情報処理装置のユーザを識別するクライアント識別情報と、前記クライアント識別情報に対する検証データとを含むリストア要求を前記ライセンスサーバに送信する手段と、
前記情報処理装置あるいは前記情報処理装置のユーザに対して既に発行されている少なくとも１以上の利用権に対応する利用権識別情報を含む前記ライセンスサーバからの前記リストア要求に対する応答を受信する手段と、
前記ライセンスサーバに前記利用権識別情報を含む利用権要求を送信する手段と、
前記利用権要求に応答して前記ライセンスサーバから送信される、前記利用権を受信する手段と、
を備える。
【請求項２】
請求項１の情報処理装置において、
前記ライセンスサーバからのリストア要求に対する応答は、前記利用権に対応する前記コンテンツを識別するコンテンツ識別情報を含み、
前記コンテンツ識別情報に基づいて、コンテンツサーバにコンテンツ要求を送信する手段と、
前記コンテンツ要求に応答して前記コンテンツサーバから送信される、前記コンテンツを受信する手段と、
を更に備える。
【請求項３】
請求項１の情報処理装置において、
前記利用権は、対応するコンテンツを利用することができる前記情報処理装置あるいは前記情報処理装置のユーザを識別する前記クライアント識別情報を含み、署名がなされている。
【請求項４】
請求項１の情報処理装置において、
前記検証データは前記クライアント識別情報を含む情報に対するハッシュ処理によって得られた値である。
【請求項５】
請求項１の情報処理装置において、
前記ライセンスサーバからのリストア要求に対する応答は、リストア処理のトランザクションを識別するトランザクションＩＤを含み、
前記ライセンスサーバに前記トランザクションＩＤを含む登録要求を送信する手段と、
前記登録要求に応答して前記ライセンスサーバから送信される、前記コンテンツを復号するために必要な暗号鍵を含む登録情報を受信する手段とを更に備え、
前記利用権要求は前記トランザクションＩＤを含む。
【請求項６】
クライアントに対してコンテンツの利用を許可する利用権を発行するライセンスサーバにおいて、
発行した利用権の利用権識別情報をクライアント毎に記憶する手段と、
前記クライアントを識別するクライアント識別情報と、前記クライアント識別情報に対する検証データとを含むリストア要求を受信する手段と、
前記検証データを検証し、正当なリストア要求であることが確認された場合に、前記クライアント識別情報に基づいて、前記クライアントに対して既に発行された利用権の利用権識別情報を取得し、前記リストア要求に対する応答として送信する手段と、
前記利用権識別情報を含む利用権要求を受信する手段と、
前記利用権要求に応答して、前記利用権識別情報に対応する前記利用権を送信する手段と
を備える。
【請求項７】
請求項６のライセンスサーバにおいて、
前記利用権は、対応するコンテンツを利用することができる前記情報処理装置あるいは前記情報処理装置のユーザを識別する前記クライアント識別情報を含み、署名がなされている。
【請求項８】
請求項６のライセンスサーバにおいて、
前記検証データは前記クライアント識別情報を含む情報に対するハッシュ処理によって得られた値である。
【請求項９】
請求項６のライセンスサーバにおいて、
前記リストア要求に対する応答は、リストア処理のトランザクションを識別するトランザクションＩＤを含み、
前記トランザクションＩＤを含む登録要求を受信する手段と、
前記登録要求に応答して、前記コンテンツを復号するために必要な暗号鍵を含む登録情報を送信する手段とを更に備え、
前記利用権要求は前記トランザクションＩＤを含む。
【請求項１０】
ライセンスサーバから発行される利用権に基づいて、該利用権に対応する暗号化されたコンテンツの復号と利用を制御するコンピュータ・プログラムであり、
情報処理装置あるいは前記情報処理装置のユーザを識別するクライアント識別情報と、前記クライアント識別情報に対する検証データとを含むリストア要求を前記ライセンスサーバに送信するステップと、
前記情報処理装置あるいは前記情報処理装置のユーザに対して既に発行されている少なくとも１以上の利用権に対応する利用権識別情報を含む前記ライセンスサーバからの前記リストア要求に対する応答を受信するステップと、
前記ライセンスサーバに前記利用権識別情報を含む利用権要求を送信するステップと、
前記利用権要求に応答して前記ライセンスサーバから送信される、前記利用権を受信するステップと、
を備える。
【請求項１１】
請求項１０のコンピュータ・プログラムにおいて、
前記ライセンスサーバからのリストア要求に対する応答は、前記利用権に対応する前記コンテンツを識別するコンテンツ識別情報を含み、
前記コンテンツ識別情報に基づいて、コンテンツサーバにコンテンツ要求を送信するステップと、
前記コンテンツ要求に応答して前記コンテンツサーバから送信される、前記コンテンツを受信するステップと、
を更に備える。
【請求項１２】
請求項１０のコンピュータ・プログラムにおいて、
前記利用権は、対応するコンテンツを利用することができる前記情報処理装置あるいは前記情報処理装置のユーザを識別する前記クライアント識別情報を含み、署名がなされている。
【請求項１３】
請求項１０のコンピュータ・プログラムにおいて、
前記検証データは前記クライアント識別情報を含む情報に対するハッシュ処理によって得られた値である。
【請求項１４】
請求項１０のコンピュータ・プログラムにおいて、
前記ライセンスサーバからのリストア要求に対する応答は、リストア処理のトランザクションを識別するトランザクションＩＤを含み、
前記ライセンスサーバに前記トランザクションＩＤを含む登録要求を送信するステップと、
前記登録要求に応答して前記ライセンスサーバから送信される、前記コンテンツを復号するために必要な暗号鍵を含む登録情報を受信するステップとを更に備え、
前記利用権要求は前記トランザクションＩＤを含む。
【請求項１５】
クライアントに対してコンテンツの利用を許可する利用権を発行する処理を実行するコンピュータ・プログラムであり、
発行した利用権の利用権識別情報をクライアント毎に記憶するステップと、
前記クライアントを識別するクライアント識別情報と、前記クライアント識別情報に対する検証データとを含むリストア要求を受信するステップと、
前記検証データを検証し、正当なリストア要求であることが確認された場合に、前記クライアント識別情報に基づいて、前記クライアントに対して既に発行された利用権の利用権識別情報を取得し、前記リストア要求に対する応答として送信するステップと、
前記利用権識別情報を含む利用権要求を受信するステップと、
前記利用権要求に応答して、前記利用権識別情報に対応する前記利用権を送信するステップと
を備える。
【請求項１６】
請求項１５のコンピュータ・プログラムにおいて、
前記利用権は、対応するコンテンツを利用することができる情報処理装置あるいは前記情報処理装置のユーザを識別する前記クライアント識別情報を含み、署名がなされている。
【請求項１７】
請求項１５のコンピュータ・プログラムにおいて、
前記検証データは前記クライアント識別情報を含む情報に対するハッシュ処理によって得られた値である。
【請求項１８】
請求項１５のコンピュータ・プログラムにおいて、
前記リストア要求に対する応答は、リストア処理のトランザクションを識別するトランザクションＩＤを含み、
前記トランザクションＩＤを含む登録要求を受信するステップと、
前記登録要求に応答して、前記コンテンツを復号するために必要な暗号鍵を含む登録情報を送信するステップとを更に備え、
前記利用権要求は前記トランザクションＩＤを含む。
【請求項１９】
ライセンスサーバから発行される利用権に基づいて、該利用権に対応する暗号化されたコンテンツの復号と利用を制御する情報処理方法であり、
情報処理装置あるいは前記情報処理装置のユーザを識別するクライアント識別情報と、前記クライアント識別情報に対する検証データとを含むリストア要求を前記ライセンスサーバに送信するステップと、
前記情報処理装置あるいは前記情報処理装置のユーザに対して既に発行されている少なくとも１以上の利用権に対応する利用権識別情報を含む前記ライセンスサーバからの前記リストア要求に対する応答を受信するステップと、
前記ライセンスサーバに前記利用権識別情報を含む利用権要求を送信するステップと、
前記利用権要求に応答して前記ライセンスサーバから送信される、前記利用権を受信するステップと、
を備える。
【請求項２０】
クライアントに対してコンテンツの利用を許可する利用権を発行する処理を実行する情報処理方法であり、
発行した利用権の利用権識別情報をクライアント毎に記憶するステップと、
前記クライアントを識別するクライアント識別情報と、前記クライアント識別情報に対する検証データとを含むリストア要求を受信するステップと、
前記検証データを検証し、正当なリストア要求であることが確認された場合に、前記クライアント識別情報に基づいて、前記クライアントに対して既に発行された利用権の利用権識別情報を取得し、前記リストア要求に対する応答として送信するステップと、
前記利用権識別情報を含む利用権要求を受信するステップと、
前記利用権要求に応答して、前記利用権識別情報に対応する前記利用権を送信するステップと
を備える。
【手続補正２】
【補正対象書類名】明細書
【補正対象項目名】００１２
【補正方法】変更
【補正の内容】
【００１２】
【課題を解決するための手段】
本発明の第１の側面は、
ライセンスサーバから発行される利用権に基づいて、該利用権に対応する暗号化されたコンテンツの復号と利用を制御する情報処理装置において、
前記情報処理装置あるいは前記情報処理装置のユーザを識別するクライアント識別情報と、前記クライアント識別情報に対する検証データとを含むリストア要求を前記ライセンスサーバに送信する手段と、
前記情報処理装置あるいは前記情報処理装置のユーザに対して既に発行されている少なくとも１以上の利用権に対応する利用権識別情報を含む前記ライセンスサーバからの前記リストア要求に対する応答を受信する手段と、
前記ライセンスサーバに前記利用権識別情報を含む利用権要求を送信する手段と、
前記利用権要求に応答して前記ライセンスサーバから送信される、前記利用権を受信する手段と、
を備える。
【手続補正３】
【補正対象書類名】明細書
【補正対象項目名】００１３
【補正方法】変更
【補正の内容】
【００１３】
さらに、本発明の情報処理装置の一実施態様において、前記ライセンスサーバからのリストア要求に対する応答は、前記利用権に対応する前記コンテンツを識別するコンテンツ識別情報を含み、前記コンテンツ識別情報に基づいて、コンテンツサーバにコンテンツ要求を送信する手段と、前記コンテンツ要求に応答して前記コンテンツサーバから送信される、前記コンテンツを受信する手段とを更に備える。
【手続補正４】
【補正対象書類名】明細書
【補正対象項目名】００１４
【補正方法】変更
【補正の内容】
【００１４】
さらに、本発明の情報処理装置の一実施態様において、前記利用権は、対応するコンテンツを利用することができる前記情報処理装置あるいは前記情報処理装置のユーザを識別する前記クライアント識別情報を含み、署名がなされている。
【手続補正５】
【補正対象書類名】明細書
【補正対象項目名】００１５
【補正方法】変更
【補正の内容】
【００１５】
さらに、本発明の情報処理装置の一実施態様において、前記検証データは前記クライアント識別情報を含む情報に対するハッシュ処理によって得られた値である。
【手続補正６】
【補正対象書類名】明細書
【補正対象項目名】００１６
【補正方法】変更
【補正の内容】
【００１６】
さらに、本発明の情報処理装置の一実施態様において、前記ライセンスサーバからのリストア要求に対する応答は、リストア処理のトランザクションを識別するトランザクションＩＤを含み、前記ライセンスサーバに前記トランザクションＩＤを含む登録要求を送信する手段と、前記登録要求に応答して前記ライセンスサーバから送信される、前記コンテンツを復号するために必要な暗号鍵を含む登録情報を受信する手段とを更に備え、
前記利用権要求は前記トランザクションＩＤを含む。
【手続補正７】
【補正対象書類名】明細書
【補正対象項目名】００１７
【補正方法】変更
【補正の内容】
【００１７】
さらに、本発明の第２の側面は、
クライアントに対してコンテンツの利用を許可する利用権を発行するライセンスサーバにおいて、
発行した利用権の利用権識別情報をクライアント毎に記憶する手段と、
前記クライアントを識別するクライアント識別情報と、前記クライアント識別情報に対する検証データとを含むリストア要求を受信する手段と、
前記検証データを検証し、正当なリストア要求であることが確認された場合に、前記クライアント識別情報に基づいて、前記クライアントに対して既に発行された利用権の利用権識別情報を取得し、前記リストア要求に対する応答として送信する手段と、
前記利用権識別情報を含む利用権要求を受信する手段と、
前記利用権要求に応答して、前記利用権識別情報に対応する前記利用権を送信する手段と
を備える。
【手続補正８】
【補正対象書類名】明細書
【補正対象項目名】００１８
【補正方法】変更
【補正の内容】
【００１８】
さらに、本発明のライセンスサーバの一実施態様において、前記利用権は、対応するコンテンツを利用することができる前記情報処理装置あるいは前記情報処理装置のユーザを識別する前記クライアント識別情報を含み、署名がなされている。
【手続補正９】
【補正対象書類名】明細書
【補正対象項目名】００１９
【補正方法】変更
【補正の内容】
【００１９】
さらに、本発明のライセンスサーバの一実施態様において、前記検証データは前記クライアント識別情報を含む情報に対するハッシュ処理によって得られた値である。
【手続補正１０】
【補正対象書類名】明細書
【補正対象項目名】００２０
【補正方法】変更
【補正の内容】
【００２０】
さらに、本発明のライセンスサーバの一実施態様において、前記リストア要求に対する応答は、リストア処理のトランザクションを識別するトランザクションＩＤを含み、前記トランザクションＩＤを含む登録要求を受信する手段と、前記登録要求に応答して、前記コンテンツを復号するために必要な暗号鍵を含む登録情報を送信する手段とを更に備え、前記利用権要求は前記トランザクションＩＤを含む。
【手続補正１１】
【補正対象書類名】明細書
【補正対象項目名】００２１
【補正方法】変更
【補正の内容】
【００２１】
さらに、本発明の第３の側面は、
ライセンスサーバから発行される利用権に基づいて、該利用権に対応する暗号化されたコンテンツの復号と利用を制御するコンピュータ・プログラムであり、
情報処理装置あるいは前記情報処理装置のユーザを識別するクライアント識別情報と、前記クライアント識別情報に対する検証データとを含むリストア要求を前記ライセンスサーバに送信するステップと、
前記情報処理装置あるいは前記情報処理装置のユーザに対して既に発行されている少なくとも１以上の利用権に対応する利用権識別情報を含む前記ライセンスサーバからの前記リストア要求に対する応答を受信するステップと、
前記ライセンスサーバに前記利用権識別情報を含む利用権要求を送信するステップと、
前記利用権要求に応答して前記ライセンスサーバから送信される、前記利用権を受信するステップと、
を備える。
【手続補正１２】
【補正対象書類名】明細書
【補正対象項目名】００２２
【補正方法】変更
【補正の内容】
【００２２】
さらに、本発明のコンピュータ・プログラムの一実施態様において、前記ライセンスサーバからのリストア要求に対する応答は、前記利用権に対応する前記コンテンツを識別するコンテンツ識別情報を含み、前記コンテンツ識別情報に基づいて、コンテンツサーバにコンテンツ要求を送信するステップと、前記コンテンツ要求に応答して前記コンテンツサーバから送信される、前記コンテンツを受信するステップとを更に備える。
【手続補正１３】
【補正対象書類名】明細書
【補正対象項目名】００２３
【補正方法】変更
【補正の内容】
【００２３】
さらに、本発明のコンピュータ・プログラムの一実施態様において、前記利用権は、対応するコンテンツを利用することができる前記情報処理装置あるいは前記情報処理装置のユーザを識別する前記クライアント識別情報を含み、署名がなされている。
【手続補正１４】
【補正対象書類名】明細書
【補正対象項目名】００２４
【補正方法】変更
【補正の内容】
【００２４】
さらに、本発明のコンピュータ・プログラムの一実施態様において、前記検証データは前記クライアント識別情報を含む情報に対するハッシュ処理によって得られた値である。
【手続補正１５】
【補正対象書類名】明細書
【補正対象項目名】００２５
【補正方法】変更
【補正の内容】
【００２５】
さらに、本発明のコンピュータ・プログラムの一実施態様において、前記ライセンスサーバからのリストア要求に対する応答は、リストア処理のトランザクションを識別するトランザクションＩＤを含み、前記ライセンスサーバに前記トランザクションＩＤを含む登録要求を送信するステップと、前記登録要求に応答して前記ライセンスサーバから送信される、前記コンテンツを復号するために必要な暗号鍵を含む登録情報を受信するステップとを更に備え、前記利用権要求は前記トランザクションＩＤを含む。
【手続補正１６】
【補正対象書類名】明細書
【補正対象項目名】００２６
【補正方法】変更
【補正の内容】
【００２６】
さらに、本発明の第４の側面は、
クライアントに対してコンテンツの利用を許可する利用権を発行する処理を実行するコンピュータ・プログラムであり、
発行した利用権の利用権識別情報をクライアント毎に記憶するステップと、
前記クライアントを識別するクライアント識別情報と、前記クライアント識別情報に対する検証データとを含むリストア要求を受信するステップと、
前記検証データを検証し、正当なリストア要求であることが確認された場合に、前記クライアント識別情報に基づいて、前記クライアントに対して既に発行された利用権の利用権識別情報を取得し、前記リストア要求に対する応答として送信するステップと、
前記利用権識別情報を含む利用権要求を受信するステップと、
前記利用権要求に応答して、前記利用権識別情報に対応する前記利用権を送信するステップと
を備える。
【手続補正１７】
【補正対象書類名】明細書
【補正対象項目名】００２７
【補正方法】変更
【補正の内容】
【００２７】
さらに、本発明のコンピュータ・プログラムの一実施態様において、前記利用権は、対応するコンテンツを利用することができる情報処理装置あるいは前記情報処理装置のユーザを識別する前記クライアント識別情報を含み、署名がなされている。
【手続補正１８】
【補正対象書類名】明細書
【補正対象項目名】００２８
【補正方法】変更
【補正の内容】
【００２８】
さらに、本発明のコンピュータ・プログラムの一実施態様において、前記検証データは前記クライアント識別情報を含む情報に対するハッシュ処理によって得られた値である。
【手続補正１９】
【補正対象書類名】明細書
【補正対象項目名】００２９
【補正方法】変更
【補正の内容】
【００２９】
さらに、本発明のコンピュータ・プログラムの一実施態様において、前記リストア要求に対する応答は、リストア処理のトランザクションを識別するトランザクションＩＤを含み、前記トランザクションＩＤを含む登録要求を受信するステップと、前記登録要求に応答して、前記コンテンツを復号するために必要な暗号鍵を含む登録情報を送信するステップとを更に備え、前記利用権要求は前記トランザクションＩＤを含む。
さらに、本発明の第５の側面は、
ライセンスサーバから発行される利用権に基づいて、該利用権に対応する暗号化されたコンテンツの復号と利用を制御する情報処理方法であり、
情報処理装置あるいは前記情報処理装置のユーザを識別するクライアント識別情報と、前記クライアント識別情報に対する検証データとを含むリストア要求を前記ライセンスサーバに送信するステップと、
前記情報処理装置あるいは前記情報処理装置のユーザに対して既に発行されている少なくとも１以上の利用権に対応する利用権識別情報を含む前記ライセンスサーバからの前記リストア要求に対する応答を受信するステップと、
前記ライセンスサーバに前記利用権識別情報を含む利用権要求を送信するステップと、
前記利用権要求に応答して前記ライセンスサーバから送信される、前記利用権を受信するステップと、
を備える。
さらに、本発明の第６の側面は、
クライアントに対してコンテンツの利用を許可する利用権を発行する処理を実行する情報処理方法であり、
発行した利用権の利用権識別情報をクライアント毎に記憶するステップと、
前記クライアントを識別するクライアント識別情報と、前記クライアント識別情報に対する検証データとを含むリストア要求を受信するステップと、
前記検証データを検証し、正当なリストア要求であることが確認された場合に、前記クライアント識別情報に基づいて、前記クライアントに対して既に発行された利用権の利用権識別情報を取得し、前記リストア要求に対する応答として送信するステップと、
前記利用権識別情報を含む利用権要求を受信するステップと、
前記利用権要求に応答して、前記利用権識別情報に対応する前記利用権を送信するステップと
を備える。